(57)【要約】【課題】部品点数を増加させず、また、小さな外装部材にも適用可能な外装部材の筐体への取付構造を実現する。【解決手段】音声を発するスピーカー５を備える携帯端末であって、少なくとも一部分２２に磁性を有し、前記スピーカー５が有する磁石の磁力によって筐体６に着脱自在に取付可能な外装部材２０を備える。【選択図】図３
2008113131.tif 000002
【特許請求の範囲】
【請求項１】
磁石を含むスピーカーを備える携帯端末であって、
少なくとも一部分に磁性を有し、前記スピーカーが有する前記磁石の磁力によって筐体に着脱自在に取付可能な外装部材を備えることを特徴とする携帯端末。
【請求項２】
第１本体部と、
前記第１本体部と少なくとも一部で連結され、該連結状態を保ちながら、前記第１本体部に対して前記厚さ方向に重なる位置と前記長さ方向に連なる位置との何れかに移動自在である第２本体部と、
磁石とホール素子とからなり前記第２本体部が前記第１本体部に対して厚さ方向に重なる位置に位置することを検知する開閉検知手段と、
を備える携帯端末であって、
少なくとも一部分に磁性を有し、前記開閉検知手段が有する磁石の磁力によって筐体に着脱自在に取付可能な外装部材を備えることを特徴とする携帯端末。
【請求項３】
前記筐体は、前記外装部材の形状に対応する窪部を有し、
前記外装部材は、前記窪部に嵌まり込む
ことを特徴とする請求項１又は２に記載の携帯端末。
【請求項４】
前記筐体と前記外装部材とは、一端部近傍に前記磁石の磁力による引付構造を有すると共に、他端部近傍に、前記筐体に設けられた第１係止部及び前記外装部材に設けられた第２係止部からなり前記第１係止部と前記第２係止部が係止する係止構造を有する
ことを特徴とする請求項１から３の何れかに記載の携帯端末。
【請求項５】
上記請求項１から４の何れかに記載の携帯端末であって通信機能を有する
ことを特徴とする携帯通信端末。
【請求項６】
前記請求項１から４の何れかに記載の携帯端末又は前記請求項５に記載の携帯通信端末に用いられ、少なくとも一部分に磁性を有することを特徴とする外装部材。
【請求項７】
前記請求項４に記載の携帯端末又は前記請求項５に記載の携帯通信端末に用いられ、前記一端部近傍に磁性を有し、前記他端部近傍に、前記第２係止部を有することを特徴とする外装部材。
【発明の詳細な説明】
【技術分野】
【０００１】
本発明は、携帯端末、携帯通信端末及び外装部材に関する。
【背景技術】
【０００２】
携帯電話機等の携帯通信端末やその他の携帯端末には、筐体に、装飾用の交換可能な外装部材が、着脱自在に取り付けられるものがある。この外装部材の筐体への取付構造は、従来は、ネジ止めや爪部等の引っ掛けによるものの他、磁石を用いたものがある。
例えば、特許文献１に開示された外装部材は、筐体の一端に引っ掛かる断面Ｊ字型の引掛部を一端部に有すると共に、他端部には、筐体に配設した磁石に引き付けられる磁性体が設けられたものであって、引掛部と筐体との引っ掛け構造と磁力による引付構造とによって筐体に取り付けられるものである。
【特許文献１】特開２００４−１３９５５８号公報
【発明の開示】
【発明が解決しようとする課題】
【０００３】
外装部材の筐体への取付構造が、従来のネジ止めや爪部等の引っ掛けによるものであると、取付構造が大きくなりがちであるので、ネジ止めや爪部等の引っ掛けによる取付構造は、ネジ止め部や爪部を設けることができる程度に十分大きい外装部材にしか適用できない。
また、特許文献１の磁石を用いた外装部材の筐体への取付構造は、該取付構造専用の磁石を設けるものであるので、部品点数を増加させることとなって、製造コストが高くなるという問題がある。
【０００４】
本発明は、上述した事情に鑑みてなされたもので、部品点数を増加させず、また、小さな外装部材にも適用可能な外装部材の筐体への取付構造を実現することを目的とする。
【課題を解決するための手段】
【０００５】
上記課題を解決するために、本発明では、第１の手段として、磁石を含むスピーカーを備える携帯端末であって、少なくとも一部分に磁性を有し、前記スピーカーが有する前記磁石の磁力によって筐体に着脱自在に取付可能な外装部材を備えることを特徴とする携帯端末を採用した。
【０００６】
また、第２の手段として、第１本体部と、前記第１本体部と少なくとも一部で連結され、該連結状態を保ちながら、前記第１本体部に対して前記厚さ方向に重なる位置と前記長さ方向に連なる位置との何れかに移動自在である第２本体部と、磁石とホール素子とからなり前記第２本体部が前記第１本体部に対して厚さ方向に重なる位置に位置することを検知する開閉検知手段と、を備える携帯端末であって、少なくとも一部分に磁性を有し、前記開閉検知手段が有する磁石の磁力によって筐体に着脱自在に取付可能な外装部材を備えることを特徴とする携帯端末を採用した。
【０００７】
第３の手段として、上記第１又は２の手段に係る携帯端末において、前記筐体は、前記外装部材の形状に対応する窪部を有し、前記外装部材は、前記窪部に嵌まり込むものを採用した。
【０００８】
第４の手段として、上記第１から３の何れかの手段に係る携帯端末において、前記筐体と前記外装部材とは、一端部近傍に前記磁石の磁力による引付構造を有すると共に、他端部近傍に、前記筐体に設けられた第１係止部及び前記外装部材に設けられた第２係止部からなり前記第１係止部と前記第２係止部が係止する係止構造を有するものを採用した。
【０００９】
第５の手段として、上記第１から４の何れかの手段に係る携帯端末であって通信機能を有することを特徴とする携帯通信端末を採用した。
【００１０】
更に、第６の手段として、上記第１から４の何れかの手段に係る携帯端末又は上記第５の手段に係る携帯通信端末に用いられ、少なくとも一部分に磁性を有することを特徴とする外装部材を採用した。
【００１１】
第７の手段として、上記第４の手段に係る携帯端末又は上記第５の手段に係る携帯通信端末に用いられ、前記一端部近傍に磁性を有し、前記他端部近傍に、前記第２係止部を有することを特徴とする外装部材を採用した。
【発明の効果】
【００１２】
本発明によれば、携帯端末が従来備えるスピーカーが有する磁石の磁力によって外装部材を引き付けることによって外装部材を筐体に取り付けるようにしたので、新たな磁石を設けて部品点数を増加させることなく、外装部材を着脱自在に取付可能とすることができる。また、ネジ止めや爪部等の引っ掛けによらず磁力によって外装部材を取付可能としたので、取付構造を小さくできるため、小さな外装部材も着脱自在に取付可能とすることができる。
【発明を実施するための最良の形態】
【００１３】
以下、本発明の第１の実施形態について、図面を参照して説明する。図１は、本実施形態における携帯電話機（携帯通信端末、携帯端末）の外観を示す斜視図である。図２は、本携帯電話機の図１の反対側から見た外観を示す斜視図である。
本携帯電話機は、表示側本体１（第１本体部）と操作側本体２（第２本体部）とを有し、更に外装部材２０（図２（ｂ）参照）を有している。
【００１４】
表示側本体１と操作側本体２とは、互いに略同じ長さ及び幅を有すると共にそれぞれ所定厚さを有している。また、表示側本体１と操作側本体２とは、互いの長さ方向の一端部をヒンジ構造３によって回動自在に連結されており、これにより、携帯電話機が折り畳み可能となっている。
ここで、図３は、本携帯電話機の内部構成を折り畳んだ状態で示す断面図である。表示側本体１は、携帯電話機を折り畳んだ状態では、操作側本体２に対して厚さ方向に重なる位置に位置し、携帯電話機を開いた状態では、操作側本体２に対して長さ方向に連なる位置に位置し、これら２つの位置の何れかに移動自在である。
【００１５】
表示側本体１は、表示パネル４及び副表示パネル４ａがはめ込まれスピーカー５が配設された表示側筐体６内に、各種電子部品を収納してなる。また、操作側本体２は、操作パネル７がはめ込まれマイク８が配設された操作側筐体９内に、各種電子部品を収納してなる。
【００１６】
表示パネル４は、携帯電話機を折り畳んだ状態で表示側筐体６の内側となる部分にはめ込まれている。副表示パネル４ａは、携帯電話機を折り畳んだ状態で表示側筐体６の外側となる部分にはめ込まれている。
操作パネル７は、携帯電話機を折り畳んだ状態で操作側筐体９の内側となる部分にはめ込まれている。
【００１７】
上記各種電子部品の主要なものとしては、プリント配線板１０（図３参照）がある。プリント配線板１０は、集積回路、抵抗器、コンデンサー等の部品を実装し、これらの部品間を接続して電子回路を構成する配線を形成した板状またはフィルム状の部品であって、図示しない周知の通信部や記憶部、制御部等を構成する。
【００１８】
スピーカー５は、永久磁石５ａ、ボイスコイル及び振動板を有し、上記制御部による制御の下に、コイルに電流を流すことによって振動板を震わせて音声を発するものであって、例えば、使用者が携帯電話機にて電話をかけている際には通話相手の声を模した音声を発し、また、使用者に対して何らかの注意を喚起する際に電子音を発する。
なお、永久磁石５ａとして具体的には、サマリウム磁石、ネオジウム磁石、アルニコ磁石等がある。ボイスコイルは、ボビンに銅線やアルミ線を巻き付け、接着剤で固めたものである。
このようなスピーカー５は、表示側本体１のヒンジ構造３が設けられている端部の逆側の端部近傍の表示パネル４側に配設され、レシーバーとも呼ばれる。
【００１９】
外装部材２０は、表示側筐体６に着脱自在に取り付けられて携帯電話機の外観を装飾する部品である。外装部材２０は、装飾板２１と、磁性体２２と、爪部２３（第２係止部）とを有している。
装飾板２１は、表面に装飾が施された板材であって、副表示パネル４ａの輪郭と略同じ形状の窓２１ａを有する。
磁性体２２は、磁性を帯びることが可能な物質からなる金属片であって、装飾板２１の裏面の一端部近傍、即ち、表示側本体１におけるスピーカー５の配設位置に対応する位置に配設される。なお、磁性体２２として具体的には、鉄、コバルト、ニッケル、酸化鉄、酸化クロム、フェライト等がある。
爪部２３は、装飾板２１の他端から突設されたものである。
【００２０】
そして、表示側筐体６は、窪部１ａ及び溝部１ｂ（第１係止部）を有している。窪部１ａは、装飾板２１の外形に合わせて形成されている。溝部１ｂは、窪部１ａの外周部と連通し、爪部２３の外形に合わせて形成されている。外装部材２０は、爪部２３が溝部１ｂに挿し込まれ、且つ、装飾板２１が窪部１ａに入り込んだ状態に取り付けられる。
【００２１】
このような構成において、表示パネル４、副表示パネル４ａ、スピーカー５、操作パネル７、マイク８、通信部、記憶部及び制御部は、携帯電話機としての周知の機能を実現する。
以下、このように構成された携帯電話機の要部の作用効果を説明する。
【００２２】
本携帯電話機においては、外装部材２０が表示側筐体６に対して着脱自在に取付可能である。外装部材２０は、爪部２３が溝部１ｂに挿し込まれてから全体が窪部１ａに入れ込まれると、磁性体２２が、スピーカー５が有する磁石の磁力によって引き付けられる。これにより、外装部材２０が、表示側筐体６に対して着脱自在に取り付けられる。
【００２３】
次に、図３（ｂ）を用いて、上記外装部材２０の変形例である外装部材２０’について説明する。図３（ｂ）に示す外装部材２０’は、外装部材２０の装飾板２１よりも小さい装飾板２１’と、磁性体２２’とを有している。また、表示側筐体６の表示パネル４が配されている側の反対側には、外装部材２０’の外形に合わせて窪部１ａ’が形成されている。
【００２４】
このような構成において、外装部材２０’は、窪部１ａ’に入れ込まれると、磁性体２２’が、スピーカー５が有する磁石の磁力によって引き付けられる。これにより、外装部材２０’が、表示側筐体６に対して着脱自在に取り付けられる。
【００２５】
次に、第２の実施形態について、図４を用いて説明する。ここで、上記実施形態と同様の構成要素については、同符号を用いて説明するとする。
表示側本体１と操作側本体２との２つの本体が組み合わされてなる携帯電話機には、開閉検知スイッチＳ（開閉検知手段）が設けられる。ホール効果を利用した開閉検知スイッチＳは、磁石ｍと磁気センサｓ（ホール素子）とからなる。
【００２６】
磁気センサｓは、プリント配線板１０上に配され、磁石ｍは、携帯電話機が折り畳まれた状態で、表示側筐体６内の磁気センサｓと対向する位置に配される。
磁気センサｓは、携帯電話機が折り畳まれた状態にあるとき、磁石ｍの磁気を検知し、これを示す信号を制御部へ出力する。制御部は、磁気センサｓから信号が入力されると、携帯電話機が折り畳まれていると判断し、表示パネル４の表示を消す等の制御を行う。
【００２７】
本実施形態における外装部材２０の磁性体２２、及び外装部材２０’の磁性体２２’は、開閉検知スイッチＳが備える磁石ｍの磁力により引き付けられる。これにより、外装部材２０及び２０’が、表示側筐体６に対して着脱自在に取り付けられる。
【００２８】
更に、第３の実施形態について、図５を用いて説明する。ここでも、上記第１の実施形態と同様の構成要素については、同符号を用いて説明するとする。
図５（ａ）は、本実施形態における外装部材３０が取り付けられた携帯電話機の外観を示す斜視図であり、図５（ｂ）は、外装部材３０の裏面を示す斜視図であり、図５（ｃ）は、外装部材３０及び表示側筐体６の一部の断面図である。
【００２９】
本実施形態の表示側本体１は、副表示パネル４ａの近傍に、リアスピーカー４０を備えている。リアスピーカー４０は、スピーカー５と同じく、永久磁石４０ａを構成要素として有するものである。
【００３０】
また、本実施形態の外装部材３０は、装飾板３１、磁性体３２及び爪部３３を有している。装飾板３１は、表面に装飾が施された板材であって、副表示パネル４ａの輪郭と略同じ形状の窓３１ａを有する。
磁性体３２は、磁性を帯びることが可能な金属製の環状部材３２ａと、磁性を帯びることが可能な金属製の円形の網状部材３２ｂとからなる。環状部材３２ａは、装飾板３１の裏面の一端部近傍、即ち、リアスピーカー４０の配設位置に対応する位置に配設される。網状部材３２ｂは、環状部材３２ａの孔に嵌め込まれる。
爪部３３は、装飾板３１の裏面の他端部近傍に突設されている。そして、表示側筐体６は、爪部３３に対応する溝部１ｃを有している。
【００３１】
このような構成において、外装部材３０は、爪部３３が溝部１ｃに挿し込まれ、且つ、磁性体３２が、リアスピーカー４０の永久磁石４０ａの磁力によって引き付けられることによって、表示側筐体６に対して着脱自在に取り付けられる。
【００３２】
更に、第４の実施形態について、図６を用いて説明する。ここでも、上記第１の実施形態と同様の構成要素については、同符号を用いて説明するとする。
図６（ａ）は、本実施形態における外装部材５０が取り付けられた携帯電話機の外観を示す斜視図であり、図６（ｂ）は、外装部材５０の外観を示す斜視図である。
【００３３】
本実施形態の表示側本体１は、外周部の２箇所に、サイドスピーカー６０を備えている。サイドスピーカー６０は、スピーカー５と同じく、永久磁石（図示せず）を構成要素として有するものである。
【００３４】
また、本実施形態の外装部材５０は、装飾板５１、磁性体５２及び爪部５３を有している。装飾板５１は、表示側本体１の外周部の形状に対応する略Ｕ字型の板材であって、表面に装飾が施されたものである。
磁性体５２は、磁性を帯びることが可能な金属製の枠型部材５２ａと、磁性を帯びることが可能な金属製の矩形の網状部材５２ｂとからなる。枠型部材５２ａは、装飾板５１の裏面における各サイドスピーカー６０の配設位置に対応する位置に配設される。網状部材５２ｂは、各枠型部材５２ａの孔に嵌め込まれる。
爪部５３は、装飾板３１の裏面の両端部近傍に突設されている。そして、表示側筐体６は、各爪部５３に対応する溝部１ｄを有している。
【００３５】
このような構成において、外装部材５０は、両爪部５３が溝部１ｄに挿し込まれ、且つ、磁性体５２が、サイドスピーカー６０の永久磁石の磁力によって引き付けられることによって、表示側筐体６に対して着脱自在に取り付けられる。
【００３６】
このように、上記実施形態によれば、携帯電話機がもともと備えているスピーカーや開閉スイッチが有する磁石の磁力を利用して外装部材を筐体に取り付けるようにしたので、新たな磁石を設けて部品点数を増加させることなく、外装部材を筐体に対して着脱自在に取付可能とすることができた。また、小さな外装部材については、ネジ止めや爪部等の引っ掛けによらず磁力のみによって取り付けるようにしたので、取付構造を小さくできた。このため、小さな外装部材であっても、筐体に対して着脱自在に取付可能とすることができた。
【００３７】
なお、本実施形態では、スピーカーが有する磁石や開閉スイッチが有する磁石の磁力を利用して外装部材を取り付ける例について説明したが、実施にあたっては、携帯端末がもともと備える他の構成要素が有する磁石の磁力を利用して外装部材を取り付けるようにしてもよい。
【００３８】
また、本実施形態では、折り畳み式の携帯電話機を例として説明したが、実施にあたってはこれに限らず、例えば、表示側本体が操作側本体に対して一端部に設けられた回動軸を支点として回動自在に設けられた携帯電話機であってもよいし、或いは、表示側本体が操作側本体に対してスライド自在に設けられた携帯電話機であってもよい。
【００３９】
更には、本実施形態では携帯電話機を例として説明したが、実施にあたってはこれに限らず、他の携帯通信端末ないし携帯端末であってもよい。他の携帯通信端末ないし携帯端末としては、例えば、ＰＤＡ（Personal Digital Assistant）や、電子辞書端末、ゲーム端末等がある。 
【図面の簡単な説明】
【００４０】
【図１】本発明の第１の実施形態における携帯電話機（携帯通信端末、携帯端末）の外観を示す斜視図である。
【図２】本発明の第１の実施形態における携帯電話機の図１の反対側から見た外観を示す斜視図である。
【図３】本発明の第１の実施形態における携帯電話機の内部構成を折り畳んだ状態で示す断面図である。
【図４】本発明の第２の実施形態における携帯電話機の内部構成を折り畳んだ状態で示す断面図である。
【図５】本発明の第３の実施形態における携帯電話機の外観及び構成を示す斜視図である。
【図６】本発明の第４の実施形態における携帯電話機の外観及び構成を示す斜視図である。
【符号の説明】
【００４１】
１…表示側本体（第１本体部）［１ａ…窪部、  １ｂ、１ｃ、１ｄ…溝部（第１係止部）］、  ２…操作側本体（第２本体部）、  ３…ヒンジ構造、  ４…表示パネル、  ４ａ…副表示パネル、  ５…スピーカー（レシーバー）、  ５ａ…永久磁石（磁石）、  ６…表示側筐体、  ７…操作パネル、  ８…マイク、  ９…操作側筐体、  １０…プリント配線板、  ２０…外装部材、  ２１…装飾板［２１ａ…窓］、  ２２…磁性体、  ２３…爪部（第２係止部）、  ２０’…外装部材、  ２１’…装飾板、  ２２’…磁性体、  Ｓ…開閉検知スイッチ（開閉検知手段）［ｍ…磁石、  ｓ…磁気センサ（ホール素子）］、  ３０…外装部材、  ３１…装飾板［３１ａ…窓］、  ３２…磁性体［３２ａ…環状部材、  ３２ｂ…網状部材］、  ３３…爪部、  ４０…リアスピーカー、  ４０ａ…永久磁石、  ５０…外装部材、  ５１…装飾板、  ５２…磁性体、  ５２ａ…枠型部材、  ５２ｂ…網状部材、  ５３…爪部、  ６０…サイドスピーカー
【図１】
2008113131.tif 000003
【図２】
2008113131.tif 000004
【図３】
2008113131.tif 000005
【図４】
2008113131.tif 000006
【図５】
2008113131.tif 000007
【図６】
2008113131.tif 000008